(57)【要約】      （修正有）【課題】マスクを長時間付けていても、耳の後ろが紐で食い込み痛くなることのないマスク用耳掛けを提供する。【解決手段】先端引っ掛け部１１、耳側壁１２，底部１３、頭側壁１４，及び下部引っ掛け部１５からなりＣ型の形状を構成し、先端引っ掛け部１１は耳殻の上部に引っ掛ける形状とする。また、底部１３の両側に耳側壁１２と頭側壁１４とを略Ｖ字型を設け、下部引っ掛け部１５は真ん中に溝１６を備えたマスク用耳掛けであって、マスクの紐を先端引っ掛け部１１から、下部引っ掛け部１５の溝にかけてマスクの紐を通せるようにして、マスク用耳掛けを形成する。【選択図】図１
0003170873.tif 000002
【実用新案登録請求の範囲】
【請求項１】
先端引っ掛け部１１、耳側壁１２，底部１３、頭側壁１４，及び下部引っ掛け部１５からなりＣ型の形状を構成し、先端引っ掛け部１１は耳殻の上部に引っ掛ける形状とし、底部１３の両側に耳側壁１２と頭側壁１４とを略Ｖ字型に設け、下部引っ掛け部１５は真ん中に溝１６を備えたマスク用耳掛けであって、マスクの紐を先端引っ掛け部１１から、下部引っ掛け部１５の溝にかけてマスクの紐を通せるようにしたことを特徴とするマスク用耳掛け。
【請求項２】
マスク用耳掛け１底部１３に沿ってワイヤー１８を埋め込み、耳の形に応じた形状に合わせられるようにしたことを特徴とする請求項１記載のマスク用耳掛け。
【請求項３】
マスク用耳掛け１をまげやすいよう1つ又は２以上の溝１９を設けることによってシワがなくカーブをつけやすくすることを特徴とする請求項１又は請求項２記載のマスク用耳掛け。
【請求項４】
下部引っ掛け部１５の耳側に、耳殻に沿うようにマスク用耳掛け１を固定するための下部耳当て部１７を設けたことを特徴とする請求項１から請求項３の何れか一つに記載のマスク用耳掛け。
【請求項５】
マスク用耳掛け１の底部１３、耳側壁１２、底部１３の耳殻や頭に接する箇所に弾力性の有るシリコンゴム、ウレタン系の樹脂、エラストマ、又は発泡体を用いたことを特徴とする請求項１から請求項４の何れかに一つに記載のマスク用耳掛け。
【請求項６】
マスク用耳掛け１の本体に空洞を設け、その中に冷却ジェルを入れて冷やす事によって涼しくなる特徴とする請求項１に記載のマスク用耳掛け。
【請求項７】
マスク用耳掛け１の本体に空洞を設け、その中に保温ジェルを入れて温める事によって暖かくなる特徴とする請求項１に記載のマスク用耳掛け。
【請求項８】
香りの材料をいれて練り込んだ、シリコンゴム、ウレタン系の樹脂、エラストマ、又は発泡体を用いたこと事により体臭を消すようにしたことを特徴とする請求項５記載のマスク用耳掛け。
【考案の詳細な説明】
【技術分野】
【０００１】
マスクの紐が耳に食い込まないようにしたマスク用耳掛けに関する。
【背景技術】
【０００２】
鳥インフルエンザや、アレルギー予防の為にマスクを長時間つけないといけない状態が多くなっている。
【先行技術文献】
【特許文献】
【０００３】
【特許文献１】実開平２−１４０３９５
【考案の概要】
【考案が解決しようとする課題】
【０００４】
マスクを長時間つけていると耳の後ろがゴム紐で食い込み痛くなる。
【課題を解決するための手段】
【０００５】
先端引っ掛け部１１、耳側壁１２，底部１３、頭側壁１４，及び下部引っ掛け部１５からなりＣ型の形状を構成し、先端引っ掛け部１１は耳殻の上部に引っ掛ける形状とし、底部１３の両側に耳側壁１２と頭側壁１４とを略V字型とし、下部引っ掛け部１５は真ん中に溝１６を備えたマスク用耳掛けであって、マスクの紐を先端引っ掛け部１１から、下部引っ掛け部１５の溝にかけてマスクの紐を通せるようにしたことを特徴とするマスク用耳掛け１。
【０００６】
マスク用耳掛け１底部１３に沿ってワイヤー１８を埋め込み、耳の形に応じた形状に合わせられるようにしたことを特徴とするマスク用耳掛け。
【０００７】
マスク用耳掛け１をまげやすいよう1つ又は２以上の溝１９を設けることによってシワがなくカーブをつけやすくすることを特徴とするマスク用耳掛け。  
【０００８】
下部引っ掛け部１５の耳側に、耳殻に沿うようにマスク用耳掛け１を固定するための下部耳当て１７を設けたことを特徴とするマスク用耳掛け。      
【０００９】
マスク用耳掛け１の底部１３、耳側壁１２、底部１３の耳殻や頭に接する箇所に弾力性の有るシリコンゴム、ウレタン系の樹脂、エラストマ、発泡体を用いたことを特徴とするマスク用耳掛け。
【００１０】
マスク用耳掛け１の本体に空洞を設け、その中に冷却ジェルを入れて冷やす事によって涼しくなる特徴とするマスク用耳掛け。
【００１１】
マスク用耳掛け１の本体に空洞を設け、その中に保温ジェルを入れて温める事によって暖かくなる特徴とするマスク用耳掛け。
【００１２】
シリコンゴム、ウレタン系の樹脂、エラストマ、発泡体に香りの材料を練り込む事により体臭を消すことを特徴とするマスク用耳掛け。
【考案の効果】
【００１３】
１）マスクを長時間つけても痛くならない。
２）マスク用耳掛けから、香りを出したり、カイロのように温かくなったり、あるいは冷たくする事によって涼しくなる。
３）マスク用耳掛けの中にワイヤーを通し、人それぞれの耳の形に合うように曲げる事が出来る。
【図面の簡単な説明】
【００１４】
【図１】本考案のマスク用耳掛けの構成（実施例１）（ａ）前面からの斜視図    （ｂ）後方からの斜視図
【図２】本考案のマスク用耳掛けの構成（実施例２）（ａ）前面からの斜視図    （ｂ）後方からの斜視図
【図３】本校案のマスク用耳掛けの構成（実施例３）
【図４】本校案のマスク用耳掛けの使用例
【考案を実施するための形態】
【００１５】
図１、図２、図３で本校案のマスク用耳掛けの３つの実施例の構成を示す。
図１は本校案のマスク用耳掛けの実施例１の構成を示す。（ａ）は前面からの斜視図
（ｂ）は後方からの斜視図である。
本考案のマスク用耳掛け１は、先端引っ掛け部１１、耳側壁１２、底部１３、頭側壁１４、及び下部引っ掛け部１５からなり、耳殻２の上部と頭の間に引っ掛けられるようにＣ型の形状をなす。
先端引っ掛け部１１、底部１３をV字型で、耳殻の上部を引っ掛ける形状をし、底部１３の両側には、耳側壁１２と頭側壁１４を備え、略Ｖ字型を形成し、頭側壁１２は耳側壁１２より少し高めに構成し、耳殻と頭に沿ってずれないように、尚かつマスクの紐がずれないようにしている。
下部引っ掛け部１５は二股にわかれ、真ん中に溝１６を備えマスクの紐が左右にずれないようにし、耳殻２と頭でマスク用耳掛けを挟むようにしている。
【００１６】
図２は本校案のマスク用耳掛けの実施例２の構成を示す。（ａ）は前面からの斜視、（ｂ）は後方の斜視図である。
実施例２ではマスク用耳掛け１の中にワイヤー１８を1つ又２以上に、マスク用耳掛け１に形状に沿って埋め込む事によって、人それぞれの耳の形に合ったカーブを持たせる事が出来る。カーブを持たせる事によって耳掛けの内側にシワができ、曲げにくくなるのを防ぐために1つ又は２以上の溝１９を作りシワなくカーブを描けるようにする。
【００１７】
図３は本校案のマスク用耳掛けの実施例３の構成を示す。
実施例３では実施例１のマスク用耳掛けの下部に、下部引っ掛け部１５に加え、耳殻に沿った下部耳当て部１７を設け、マスク用耳掛けと耳の間にさらに固定できるようにしている。
ワイヤー１８は、先端引っ掛け部１１から引っ掛け部１５にかけて耳殻２の根元の形状にあう形状にすることにより、マスク用耳掛けが落ちにくくしている。
【００１８】
図４は本校案のマスク用耳掛けの使用例を示す。
マスク３をするときは、両側の耳殻２にマスク用耳掛け１を装着し、次にマスクの紐２１をマスク用耳掛け１に引っ掛けて使用する。これによりマスクを長時間使用していてもマスクの紐４が食い込むことがない。
【００１９】
本校案のマスク用耳掛けはシリコンゴム、ウレタン系の素材、エラストマ、発泡体の軟質性の素材で構成する。これらマスク用耳掛けに香り成分をいれて香りを醸し出したり、冷却剤をいれて耳を冷やしたりしてもよい。
マスク用耳掛けのＣ型の形状を形成するために底部１３は固い素材を使用し、耳殻に当たる内側の箇所は柔らかい素材を用いる。
ワイヤーは内部に埋め込み、鉄やアルミニウムの素材である。
【００２０】
マスク用耳掛け１の本体に空洞を設け、その中に冷却ジェルを入れて冷やす事によって涼しくなる。また、マスク用耳掛け１の本体に空洞を設け、その中に保温ジェルを入れて温める事によって暖かくできる。シリコンゴム、ウレタン系の樹脂、エラストマ、発泡体に香りの材料をいれて練り込む事により、香りを醸し出すことで体臭を消すことができる。
【００２１】
マスク以外に眼鏡などの耳に引っ掛ける必要が有る物について、耳の痛みを感じなくさせる器具を提供する。
【符号の説明】
【００２２】
１  マスク用耳掛け        
１１  先端引っ掛け部                      
１２  耳側壁                      
１３  底部                  
１４  頭側壁  
１５  下部引っ掛け部
１６  溝
１７  下部耳当て部
１８  ワイヤー
１９  溝
２  耳殻
３  マスク
４  マスク紐
【図１】
0003170873.tif 000003
【図２】
0003170873.tif 000004
【図３】
0003170873.tif 000005
【図４】
0003170873.tif 000006